(57)【要約】【課題】パチンコ玉揚送研磨機に取り付けようとする研磨布を挟持する際のハンドル操作等を不要とする。【解決手段】パチンコ玉揚送研磨機（１）に取付可能な研磨布保持装置（２１，７１）を、支持基板（３５，７５）の支持面側に設けた摩擦ローラー（６５，７７）と、当該摩擦ローラー（６５，７７）の回転方向を規制する規制構造（４９，７９）と、を備え、当該摩擦ローラー（６５，７７）を当該支持基板（３５，７５）との間で研磨布（１１）を挟持可能となるように構成してあり、当該規制構造（４９，７９）が、研磨布（１１）への張力付与方向の回転のみを許容可能に構成してある。【選択図】　図２
2004141450.tif 000002
【特許請求の範囲】
【請求項１】
取付面をパチンコ玉研磨機に向けて取付可能な取付板と、
当該取付板の当該取付面の裏面に当る支持面側に取り付けた支持基板と、
当該支持基板の支持面側にローラー支持体を介して設けた摩擦ローラーと、
当該摩擦ローラーの回転方向を規制する規制構造と、を備え、
当該ローラー支持体が、当該摩擦ローラーを当該支持基板との間で研磨布を挟持可能となるように構成してあり、
当該摩擦ローラーが、当該支持基板との間で挟持した研磨布の移動とともに回転可能、かつ、当該支持基板と協働してパチンコ玉研磨機の稼働により生じる最大引き込み力より大きな静止摩擦力を当該研磨布に付与可能に構成してあり、
当該規制構造が、研磨布への張力付与方向の回転のみを許容可能に構成してある
ことを特徴とする研磨布保持装置。
【請求項２】
前記支持基板には、挟持する研磨布に静止摩擦力を付与可能な摩擦付与手段を設けてある
ことを特徴とする請求項１に記載した研磨布保持装置。
【請求項３】
前記摩擦付与手段が、前記支持基板に形成した開口部又は凹部であって、
当該開口部又は凹部が、挟持によって前記摩擦ローラーに押された研磨布の一部を受け入れ可能に形成してある
ことを特徴とする請求項２に記載した研磨布保持装置。
【請求項４】
前記ローラー支持体が、前記摩擦ローラーを、研磨布を挟持可能とするクランプ位置と、研磨布を開放可能とする開放位置との間で往復移動可能に構成してある
ことを特徴とする請求項１乃至３の何れかに記載した研磨布保持装置。
【請求項５】
前記開放位置にある前記摩擦ローラーが、前記支持基板に対して研磨布幅方向に片開き状態である
ことを特徴とする請求項４に記載した研磨布保持装置。
【請求項６】
前記ローラー支持体と前記支持基板との間には、当該ローラー支持体を当該支持基板に対して昇降スライド可能とするスライド構造を設けてあり、
当該ローラー支持体には、当該支持基板を研磨布への張力付与方向に付勢する付勢手段を設けてある
ことを特徴とする請求項１乃至５の何れかに記載した研磨布保持装置。
【請求項７】
前記ローラー支持体が、
前記支持基板の研磨布幅方向の片側にヒンジ結合された開閉板と、
当該開閉板の両側から前記摩擦ローラーの両端を挟むように起立するローラー支持部と、
当該摩擦ローラーのローラー面を当該支持基板側に臨ませるために当該開閉板に形成した開口又は凹部と、
当該支持基板に当該開閉板をロックするためのロック構造と、を含む
ことを特徴とする請求項５又は６に記載した研磨布保持装置。
【請求項８】
前記開閉板には、当該開閉板の開閉を補助するためのハンドルを設けてある
ことを特徴とする請求項７に記載した研磨布保持装置。
【請求項９】
前記摩擦ローラーが、ローレット掛けしたローラー面を有する金属製又は合成樹脂製のローラーである
ことを特徴とする請求項１乃至８の何れかに記載した研磨布保持装置。
【請求項１０】
前記規制構造が、前記ローラー軸に固定したラチェットと、当該ラチェットと噛み合う爪と、を含む
ことを特徴とする請求項１乃至９の何れかに記載した研磨布保持装置。
【請求項１１】
請求項１乃至１０の何れかに記載した研磨布保持装置を取り付けてある
ことを特徴とするパチンコ玉揚送研磨機。
【発明の詳細な説明】
【０００１】
【発明の属する技術分野】
この発明は、パチンコ玉揚送研磨機、特に、ガイドにより指示された帯状の研磨布と無端ベルトの回転とによりパチンコ玉を揚送研磨する装置に取付可能な研磨布保持装置と、そのような研磨布保持装置を備えるパチンコ玉揚送研磨機に関するものである。
【０００２】
【従来の技術】
図９に示す研磨布保持装置１０１は、研磨布Ｎの幅方向に延びる偏心軸１０３により軸支される押圧棒部材１０５を備え、この押圧棒部材１０５はハンドル１０９を上へ持ち上げたときの開放位置（想像線で示す）から押し下げたときのクランプ位置（実線で示す）へ変位するように構成されている。クランプ位置へ変位したときの押圧棒部材１０５は、パチンコ玉研磨機Ｍから引き出された研磨布Ｎを抵抗体１０７との間に挟持するようになっている。さらに、研磨布保持装置１０１はパチンコ玉研磨機Ｍに対して昇降可能に構成されており、バネ１１１により下方に付勢されている（たとえば、特許文献１参照）。
【０００３】
【特許文献１】
特開２００１−１２０８２７号公報（段落番号００２７〜同００３０、図１及び７）
【０００４】
【発明が解決しようとする課題】
しかしながら、上述した研磨布保持装置１０１は、次の点で不便であった。つまり、研磨布Ｎを挟持は、まずハンドル１０９を押し上げて押圧棒部材１０５と抵抗体１０３との間を広げ、その間に研磨布Ｎを通してからハンドル１０９を押し下げることにより完了する。揚送研磨機Ｍ内部に位置する研磨布Ｎ（図示を省略）が汚れたため位置変えしようとするときは、ハンドル１０９を再び押し上げてから研磨布Ｎを引き下げて汚れた部分を引き出してからハンドル１０９を押し下げる必要がある。この操作は、片手で研磨布Ｎを引き下げながら他方の手で行わなければならない。これでは、たいへん不便である。本発明が解決しようとする課題は、研磨布を挟持する際のハンドル操作を不要とすることにより、研磨布の位置変え作業等をより簡単に行うことのできる研磨布保持装置と、そのような研磨布保持装置を備えたパチンコ玉研磨機を提供することにある。
【０００５】
【課題を解決するための手段】
上述した課題を解決するために本発明は、張力付与方向にだけ回転可能な摩擦ローラーを採用し、パチンコ玉研磨機から引き出した研磨布を、この摩擦ローラーと取付板との間に挟持しながら回転により張力付与方向に牽引可能構成してある。詳しい構成については、項を改めて説明する。なお、何れかの請求項に係る発明の説明に際して行う用語の定義等は、その性質上可能な範囲において他の請求項に係る発明にも適用されるものとする。
【０００６】
（請求項１に記載した発明の特徴）
請求項１に記載した発明に係る研磨布保持装置は、取付面をパチンコ玉研磨機に向けて取付可能な取付板と、当該取付板の当該取付面の裏面に当る支持面側に取り付けた支持基板と、当該支持基板の支持面側にローラー支持体を介して設けた摩擦ローラーと、当該摩擦ローラーの回転方向を規制する規制構造と、を備え、当該ローラー支持体が、当該摩擦ローラーを当該支持基板との間で研磨布を挟持可能となるように構成してあり、当該摩擦ローラーが、当該支持基板との間で挟持した研磨布の移動とともに回転可能、かつ、当該支持基板と協働してパチンコ玉研磨機の稼働により生じる最大引き込み力より大きな静止摩擦力を当該研磨布に付与可能に構成してあり、当該規制構造が、研磨布への張力付与方向の回転のみを許容可能に構成してある。張力付与方向は、上から下方向でもよいし、下から上方向でもよい。
【０００７】
請求項１の研磨布保持装置によれば、ローラー支持体に支持された摩擦ローラーと支持基板の間に研磨布を挟持可能である。挟持した研磨布は、挟持したまま張力付与方向、すなわち、揚送研磨機から引き出す方向に牽引可能である。摩擦ローラーは、研磨布の移動とともに回転する。規制構造の遊びやバックラッシュ等がある場合に、それらによる僅かな戻りがある場合を除き、規制構造の規制により張力付与方向にしか回転しない。さらに、挟持した研磨布が引き戻されない程度の摩擦力を付与できるように構成してある。このため、一旦牽引した研磨布が、反牽引方向に引き戻されることはない。このように、位置変え等のために研磨布をパチンコ玉揚送研磨機から引き出すときに、研磨布を持って引き出すだけで足り、いちいちハンドル等を操作して挟持を解除する手間が省ける。このため、研磨布の位置変え等の作業を簡単に行うことができるので、たいへん便利である。
【０００８】
（請求項２に記載した発明の特徴）
請求項２に記載した発明に係る研磨布保持装置は、請求項１の研磨布保持装置であって、前記支持基板には、挟持する研磨布に静止摩擦力を付与可能な摩擦付与手段を設けてあることを特徴とする。
【０００９】
請求項２の研磨布保持装置によれば、請求項１の研磨布保持装置の作用効果に加え、摩擦付与手段の働きにより、支持基板の挟持面の滑りを小さくして必要な摩擦力の付与を可能とすることができる。
【００１０】
（請求項３に記載した発明の特徴）
請求項３に記載した発明に係る研磨布保持装置は、請求項２の研磨布付与装置であって、前記摩擦付与手段が、前記支持基板に形成した開口部又は凹部であって、当該開口部又は凹部が、挟持によって前記摩擦ローラーに押された研磨布の一部を受け入れ可能に形成してあることを特徴とする。
【００１１】
請求項３の研磨布付与装置によれば、請求項２の研磨布保持装置の作用効果に加え、摩擦ローラーにより押された研磨布が受け入れられることにより、研磨布の直線性が失われてより強く摩擦力を受けるようになる。
【００１２】
（請求項４に記載した発明の特徴）
請求項４に記載した発明に係る研磨布保持装置は、請求項１乃至３の何れかの研磨布保持装置であって、前記ローラー支持体が、前記摩擦ローラーを、研磨布を挟持可能とすクランプ位置と、研磨布を開放可能とする開放位置との間で往復移動可能に構成してあることを特徴とする。ローラー支持体は、それ自身が摩擦ローラーとともに往復移動可能に構成してもよいし、摩擦ローラーだけを往復移動させるような構造に構成してもよい。
【００１３】
請求項４の研磨布保持装置によれば、請求項１乃至３の何れかの研磨布保持装置の作用効果に加え、摩擦ローラーがクランプ位置と開放位置との間で往復移動可能であるから、研磨布保持装置への研磨布の取り付け取り外しを開放位置において行えるので、その作業が簡単である。研磨布の位置変え等を行うだけであるなら摩擦ローラーをクランプ位置に保持したままで足りるが、たとえば、取り付けていなかった研磨布保持装置に研磨布を取り付ける場合や、研磨布が全長に渡って汚れたため全体を他の研磨布と取り替えようとする場合には、摩擦ローラーを開放位置に置いたほうが、その作業を楽に行うことができる。
【００１４】
（請求項５に記載した発明の特徴）
請求項５に記載した発明に係る研磨布保持装置は、請求項４の研磨布保持装置であって、前記開放位置にある前記摩擦ローラーが、前記支持基板に対して研磨布幅方向に片開き状態であることを特徴とする。
【００１５】
請求項５の研磨布保持装置によれば、請求項４の研磨布保持装置の作用効果に加え、摩擦ローラーが横開きするため、研磨布の取り付け取り外しを横方向から簡単に行うことができる。すなわち、研磨布の長さ方向に開放する縦開き方式を採用すると研磨布の端を支持基板と摩擦ローラーとの間に通してから所望の長さ分だけ引き下げたり引き上げたりする作業が必要になるが、横開きにすれば研磨布の端がどこにあろうと研磨布保持装置に対応する部分だけを差し込むだけで足りるため簡単である。研磨布保持装置から研磨布を取り外す場合にも、同じことがいえる。
【００１６】
（請求項６に記載した発明の特徴）
請求項６に記載した発明に係る研磨布保持装置は、請求項１乃至５の何れかの研磨布保持装置であって、前記ローラー支持体と前記支持基板との間には、当該ローラー支持体を当該支持基板に対して昇降スライド可能とするスライド構造を設けてあり、当該ローラー支持体には、当該支持基板を研磨布への張力付与方向に付勢する付勢手段（たとえば、バネ）を設けてあることを特徴とする。付勢手段は、研磨布牽引方向に研磨布を押してもよいし、同方向に引いてもよい。
【００１７】
請求項６の研磨布保持装置によれば、請求項１乃至５の何れかの研磨布保持装置の作用効果に加え、支持基板に対して研磨布長さ方向にローラー支持体が昇降スライドする。付勢手段が支持基板を研磨布への張力付与方向、すなわち、牽引方向に付勢する。この付勢手段の働きにより、パチンコ玉揚送研磨機から引き出され研磨布保持装置に挟持された研磨布は、常に張力が付与される方向に付勢される。パチンコ玉揚送研磨機が稼働するとその中をパチンコ玉が通過し、このパチンコ玉の通過により研磨布をしごくようにして上に押し上げる。この押し上げが研磨布の延びや弛みを生じさせる場合があり、この延びや弛みを付勢手段の伸び又は縮みによりカバーすることにより研磨布のだぶつきを抑え適度の緊張を保たせる。この結果、パチンコ玉を円滑に揚送研磨することができる。
【００１８】
（請求項７に記載した発明の特徴）
請求項７に記載した発明に係る研磨布保持装置は、請求項５又は６の研磨布保持装置であって、前記ローラー支持体が、前記支持基板の研磨布幅方向の片側にヒンジ結合された開閉板と、当該開閉板の両側から前記摩擦ローラーの両端を挟むように起立するローラー支持部と、当該摩擦ローラーのローラー面を当該支持基板側（取付板側）に臨ませるために当該開閉板に形成した開口又は凹部と、当該支持基板に当該開閉板をロックするためのロック構造と、を含むことを特徴とする。摩擦ローラーのローラー面を望ませることができる形状であれば、開口又は凹部の形状に限定はない。
【００１９】
請求項７の研磨布保持装置によれば、請求項５又は６の研磨布保持装置の作用効果に加え、ヒンジ結合した開閉板が支持基板に対して片開きする。開閉版はローラー支持部を介して摩擦ローラーを支持し、その開閉により摩擦ローラーを支持基板に対して開閉させる。摩擦ローラーのローラー面は開閉板の開口又は凹部を介して支持基板側（取付板側）に臨み、そこで支持基板との間で研磨布を挟持する。ロック構造は、閉鎖状態すなわちクランプ位置にある開閉板を支持基板にロックして、パチンコ玉揚送研磨機の可動による開閉板の開放を阻止する。
【００２０】
（請求項８に記載した発明の特徴）
請求項８に記載した発明に係る研磨布保持装置は、請求項７の研磨布保持装置であって、前記開閉板には、当該開閉板の開閉を補助するためのハンドルを設けてあることを特徴とする。
【００２１】
請求項８の研磨布保持装置によれば、請求項７の研磨布保持装置の作用効果に加え、使用者が開閉板を開閉するときにハンドルを使って行えるので、ハンドルがない場合に比べてより円滑に開閉操作を行うことができる。
【００２２】
（請求項９に記載した発明の特徴）
請求項９に記載した発明に係る研磨布保持装置は、請求項１乃至８の何れかの研磨布保持装置であって、前記摩擦ローラーが、ローレット掛けしたローラー面を有する金属製又は合成樹脂製のローラーであることを特徴とする。
【００２３】
請求項９の研磨布保持装置によれば、請求項１乃至８の何れかの研磨布保持装置の作用効果に加え、研磨布と接触するローラー面にローレット掛けしてあるので、ローラー面の滑りを小さくして必要な摩擦力の付与を可能とすることができる。
【００２４】
（請求項１０に記載した発明の特徴）
請求項１０に記載した発明に係る研磨布保持装置は、請求項１乃至９の何れかの研磨布保持装置であって、前記規制構造が、前記ローラー軸に固定したラチェットと、当該ラチェットと噛み合う爪と、を含むことを特徴とする。
【００２５】
請求項１０の研磨布保持装置によれば、請求項１乃至９の何れかの研磨布保持装置の作用効果に加え、挟持した研磨布を牽引すると、摩擦ローラーとの間に働く摩擦力により摩擦ローラーが回転する。これに伴いラチェットも回転するが、爪はこの回転を許容する。他方、牽引方向とは逆方向へのラチェットの回転は、これと噛み合った爪により阻止される。噛み合いの遊びやラチェットのバックラッシュ等による戻りは、ここでいう逆方向への回転には含まれない。
【００２６】
（請求項１１に記載した発明の特徴）
請求項１１に記載した発明に係るパチンコ玉揚送研磨機は、請求項１乃至１０の何れかに記載した研磨布保持装置を取り付けてあることを特徴とする。
【００２７】
請求項９のパチンコ玉揚送研磨機によれば、請求項１乃至８の何れかの研磨布保持装置を取り付けてあるので、研磨布を挟持する際のハンドル操作を不要であるため研磨布の位置変え作業等を簡単に行うことができる。
【００２８】
【発明の実施の形態】
各図を参照しながら、本発明の実施の形態について説明する。図１は、研磨布保持装置を備えるパチンコ玉揚送研磨機の正面図である（（ａ）はドア部閉鎖状態、（ｂ）はドア部開放状態）。図２は、開閉板が開放位置にあるときの研磨布保持装置の斜視図である。図３は、図２に示す研磨布保持装置の摩擦ローラーのみを想像線で描いた斜視図である。図４は、開閉板がクランプ位置にあるときの研磨布保持装置の斜視図である。図５は、図４に示す研磨布保持装置のＸ−Ｘ断面図である。図６は、図４に示す研磨布保持装置のＹ−Ｙ断面図である。図７は、図６に示す研磨布保持装置のロック構造の作用を説明するための図である。図８は、本実施形態の変形例に係る研磨布保持装置の斜視図である。
【００２９】
（パチンコ玉揚送研磨機の概略構造）
図１（ａ）（ｂ）を参照しながら、後述する研磨布保持装置（以下、単に「保持装置」という）を備えるパチンコ玉揚送研磨機（以下、単に「揚送研磨機」という）について説明する。揚送研磨機１は、床面に設置するベース部３と、このベース部から起立する揚送塔５と、から概ね構成してある。揚送塔５には、その正面にドア部７をヒンジ結合して開閉するようにしてある。揚送塔５の内部には、ガイド部材（図示を省略）と、研磨布１１と、を設けてあり、ガイド部材に支持された研磨布１１と搬送ベルト（図示を省略）との間に挟持したパチンコ玉を揚送研磨するように構成してある。
【００３０】
研磨布１１は、木綿や合成繊維を編んだものや不織布等によりできており、図１（ｂ）に示すように細長い帯状に形成してある。通常は、図１（ｂ）に示すように、ロール状に巻き上げた状態で保管し、必要な分だけ取り出して、また、汚れた部分を順送りにずらして使用するようになっている。具体的な装着は、まず、ロールから取り出した研磨布１１をドア部７の表面で折り返し、折り返したところを押え具９により押し当てる。次に、ドア部７の下端から折り返して揚送塔５の内部へ引き入れる。さらに、引き入れた研磨布１１をドア部７の上端から折り返して揚送塔５の外部へ引き出し、ドア部７に沿って下降させ、最後に保持装置２１に保持させる。保持装置２１の構造は、次項以下で説明する。
【００３１】
（保持装置の構造）
図２乃至７を参照しながら、保持装置２１の構造を説明する。保持装置２１は、取付面２３ａをパチンコ玉研磨機に向けて取付可能な取付板２３と、取付板２３の取付面２３ａの裏面に当る支持面２３ｂ側に設けた支持基板３５と、支持基板３５に取り付けた開閉板４５と、開閉板４５が開閉側部３６，３６を介して支持する摩擦ローラー６５と、から概ね構成してある。研磨布１１は、摩擦ローラー６５と支持基板３５との間で挟持（保持）される構成になっている。
【００３２】
（取付板の構造）
取付板２３は、適度な強度をもったスチール板に板金加工等を施すことにより形成したものであり、揚送研磨機１のドア部７に取付可能な大きさに形成してある。取付板２３の上下端には、段部２４，２４を介して取付部２５，２５を形成してある。段部２４，２４を形成したのは、ドア部７との間に隙間を形成し、この隙間を使って後述するスライド構造を構成するためである。取付部２５，２５には、取付板２３をドア部７に固定ネジ２７，２７，．．を通すためのネジ孔２６，２６，．．を形成してある。取付板２３の支持面２３ｂ側には、次に述べる支持基板３５を、さらには開閉板４５を取り付けてある。
【００３３】
（支持基板及び開閉板の構造）
支持基板３５と開閉板４５とは、何れも、取付板２３と同様にスチール板に板金加工等を施すことにより構成してある。図２に示すように支持基板３５は、その側部を取付板２３方向に屈曲形成した基板側部３６，３６と、この基板側部３６，３６に、その長さ方向全長に渡って延びるアウター片３７，３７と、インナー片３８，３８と、を備えている。アウター片３７，３７とインナー片３８，３８の形成は、たとえば、板金加工や溶接により行う。アウター片３７，３７は、ドア部７と取付板２３との間の隙間に突き出させてあり、基板側部３６，３６の途中から突き出るインナー片３８，３８との間で取付板２３を挟めるようになっている。このように構成した結果、支持基板３５或いはドア部７に対して支持基板３５が、図２の双方向矢印Ａで示すように昇降スライド可能となり、また、支持基板３５の厚み方向のがたつきが防止可能となる。取付板２３、アウター片３７，３７及びインナー片３８，３８が、本実施形態におけるスライド構造４０を構成している。
【００３４】
支持基板３５には矩形の開口部（摩擦付与手段）４２を設けてあるが、これは、摩擦ローラー６５との間で挟持する研磨布１１に静止摩擦力を付与することを主目的として設けたものである。挟持については後述するが、この挟持によって摩擦ローラー６５に押された研磨布１１の一部を受け入れることにより、研磨布１１の直線性を失わせて支持基板３５に対する滑りを悪くする役目を担っている（図５参照）。つまり、摩擦ローラー６５のローラー面６６が、開口部４２に押し入れた研磨布を、開口部４２の周縁に押し付けて保持するため滑りづらくなる。
開口部４２を形成する代わりに、たとえば、摩擦係数の高い摩擦板を支持基板３５の表面に貼り付ける等を行ってもよい。なお、符合４３は、ロック用のロック孔を示す。また、図４に示す符合４４は、支持基板３５の下端中央部を、同図手前方向に折り起して形成した突片を示す。
【００３５】
次は、開閉板４５である。この開閉板４５は、支持基板３５の研磨布幅方向の片側（図２の左側）にヒンジ６３（図６参照）により結合してあり、これにより、研磨布１１を挟持可能な位置（クランプ位置）と、この挟持を開放する位置（開放位置）との間で往復移動可能になっている。このように開閉板４５を支持基板３５に対して研磨布幅方向、すなわち、横方向に片開き（横開き）するように構成したのは、開閉板４５或いは摩擦ローラー６５と支持基板３５との間に側方（図２の矢印Ｂ方向）から研磨布１１を差し込んだり、抜き出したりできるようにするためである。図２に想像線で示す研磨布１１のように長さ方向に開放する縦方向（矢印Ｃ方向）から差し込む方式を採用すると、研磨布１１の端を取付板２３と摩擦ローラー６５との間に通してから所望の長さ分だけ引き下げる作業が必要になる。しかし、横開きにすれば研磨布１１の端がどこにあろうと保持装置２１に対応する部分（図２に実線で示す部分）だけを差し込むだけで足りる。横開きの方が、はるかに簡単である。このことは、保持装置２１から研磨布１１を取り外す場合にも、同じことがいえる。以上が、本実施形態で横開きを採用した理由である。
【００３６】
開閉板４５は、その両側から摩擦ローラー６１の両端を挟むように起立する開閉板側部４６，４６を備え、この開閉板側部４６，４６の一部がローラー支持部４７，４７を構成している。開閉板４５には、支持基板３５の開口部４２に対応する位置及び形の開口部４８を設けてある（図３参照）。この開口部４８を介して研磨ローラー６５のローラー面６６が支持基板３５側（取付板２３側）に臨むように、すなわち、開閉板４５の裏面から僅かに突き出るように（図６参照）構成してある。開口部４８は、ローラー面６６を臨ませられる限り、その形状に限定はない。開口部４８を、支持基板３５の上端を切り欠くこと等により形成する凹部に代替させてもよい。開閉板４５と開閉板側部４６，４６とにより、本実施形態のローラー支持体を構成する。
【００３７】
（規制構造）
ローラー支持部４７，４７は、ローラー軸６７を介して摩擦ローラー６５を回転可能に支持するように構成してある。図２の右側に位置する一方のローラー支持部４７を貫通したローラー軸６７先端には、ラチェット装置（規制構造）４９の主要部品であるラチェット５０を固定してある。ラチェット装置４９は、摩擦ローラー６５の回転方向を規制するための部材であって、上記のラチェット５０と、これに噛み合う爪５１とにより構成してある。このラチェット装置４９の働きにより、摩擦ローラー６５が、図２に示す矢印Ｄ方向にのみ回転可能となる。この矢印Ｄ方向は、挟持した研磨布１１を張力付与方向である下方に引き下げたとき（牽引したとき）に、これに伴う回転方向である。矢印Ｄ方向とは逆方向の回転が規制される結果、揚送研磨装置１の稼働により研磨布１１が引き戻されようとしても、摩擦ローラー６５が与える静止摩擦力や支持基板３５の開口部４２が付与する静止摩擦力等と相俟ってその引き戻しを阻止する。もっとも、摩擦ローラー６５は、ラチェット装置４９の遊びやバックラッシュ、さらに研磨布１１との間の僅かなスリップ等がある場合もあり得るが、それらによる僅かな戻りがある場合を除き、矢印Ｄ方向にしか回転しない。
【００３８】
上述したように、研磨布１１は引き下げ方向にしか動かないので、位置変え等のために研磨布１１を揚送研磨機１経由で研磨ロール（図１（ｂ）参照）から引き出すときに、研磨布１１を持って単に引き下ろすだけで足り、いちいちハンドル等を操作して挟持を解除する手間が省ける。このため、研磨布の位置変え等の作業を簡単に行うことができて、たいへん便利である。さらに、研磨布１１の引き下げは片手でもできるが、ハンドル等の操作にとらわれない作業者は両手を使って引き下げることができる。研磨布１１の両端を両手で握って引き下げるようにすれば、片手で握った場合にできる握り皺を作らないで済むし、力も入れ易いので楽である。握り皺は研磨布１１の横ずれ等の不都合に繋がる場合があるが、両手で引き下げれば、そのような不都合を避けることができる。
【００３９】
開閉板側部４６，４６には、その一部を内方に折り曲げて形成した支持片４６ａ，４６ａを設けてある。支持片４６ａ，４６ａには、開閉板４５の開閉を補助するためのハンドル５３を取り付けてある。さらに、支持基板３５の下端中央の突片４４（図４参照）とドア部７に固定した引っ掛けネジ１３との間には、引っ張りバネ５３を架け渡してある。引っ張りバネ５３は、スライド構造４０の働きにより昇降スライド可能な支持基板３５を、研磨布１１の牽引方向（張力付与方向）に付勢する働きを担っている。揚送研磨機１が稼働するとその中をパチンコ玉（図示を省略）が通過し、このパチンコ玉の通過により研磨布１１がしごかれ、これが研磨布１１を延ばしたり弛ませたりすることがある。延びや弛みをそのままにしておくと研磨布１１をだぶつかせることになるので、引っ張りバネ５３の引っ張り力により支持基板３５を引き下げて、だぶつき分をカバー（吸収）し、研磨布１１に適度な緊張を保たせる。
【００４０】
（ロック構造）
図３、４、６及び７を参照しながら、ロック構造について説明する。ロック構造５５は、支持基板３５が有するロック孔４３と、開閉板４５の開閉板側部４６が有するシーソー部材５６とにより構成してある。シーソー部材５６は、シーソーに類似した形状であって、そのほぼ中央にある支持片５７，５７を貫通する支軸５８を支点として上下するように構成してある。シーソー部材５６は、その一端を屈曲形成したロック片５９を有している。開閉板４５がクランプ位置にあるとき、すなわち、研磨布を挟持可能な位置にあるとき、このロック片５９がロック孔４３内に進入し、支持基板３５に開閉版４５をロックするように構成してある。支軸５８には、片持ちバネ６０を巻き付けてある。片持ちバネ６０は、ロック片５９を常にロック方向に付勢するように構成してあるため、開閉板４５を開放位置からクランプ位置に移動させると、自動的に図７（ａ）に示すロック状態になる。また、ロックの解除は、シーソー部材５６を、図７（ｂ）に示すＥ方向に片持ちバネ６０に逆らいながら押してロック片５９をロック孔４３から退出させることにより行う。ロックを解除すれば、図７（ｃ）に示すように、開閉板４５を開放位置までの移動が可能となる。ロック構造５５は、クランプ位置にある開閉板４５が揚送研磨機１の稼働による移動を阻止するとともに、摩擦ローラー６５を研磨布１１にしっかりと押し付ける役割を担っている。なお、ロック構造５５の形態は上述したものに限られず、機械的構造の異なる他の形態や磁石を使った形態等を採用できることはいうまでもない。
【００４１】
（摩擦ローラーの構造）
摩擦ローラー６５は、アルミニウムのような金属又は合成樹脂により構成する。他の素材を用いることを妨げる趣旨ではないが、これらの素材が入手や加工が比較的容易だからである。研磨布と接触するローラー面は、ローレット掛けしておくことが好ましい。ローラー面の滑りを小さくして必要な摩擦力の付与を可能とすることができるからである。摩擦力確保のために、適当な摩擦材をローラー面に貼り付ける等の方法もある。
【００４２】
（保持装置の使用要領）
まず、ロック構造５５を解除して開閉板４５を開放位置に移動させる。次に、揚送研磨機１のドア部７の上端から引き出した研磨布１１を、摩擦ローラー６５と支持基板３５との間に差し込み、開閉板４５をクランプ位置に戻す。戻すと板ロック構造５５が、片持ちバネ６０等の働きにより開閉板４５を支持基板３５に自動ロックする。これで研磨布１１の保持を完了する。一旦保持した研磨布１１は、摩擦ローラー６５等が付与する静止摩擦力やラチェット装置４９による回転規制等の働きにより、揚送研磨装置１の稼働によっても引き戻されない。さらに、稼働による研磨布のだぶつきは、引っ張りバネ５３の縮みにより、ほぼ自動的に解消される。保持した研磨布１１の位置変えを行うには、保持装置２１の下方領域において研磨布１１を両手で掴み所望長さだけ引き下ろす。これだけでよい。ハンドル等の操作に煩わされる必要はない。研磨布１１を取り外しは、シーソー部材５６を操作してロックを解除し、開閉板４５を開閉位置に移動させてから行う。
【００４３】
（本実施形態の変形例）
図８に基づいて、本実施形態の変形例について説明する。本変形例に係る保持装置が本実施形態に係る保持装置と異なるのは、後者が有していた開閉構造を前者では省略した点である。ここでは、重複を避けるために、主として両者が異なる点について説明し、共通する点についての説明を省略する。
【００４４】
図８に示す保持装置７１は、揚送研磨機のドア部７に取り付けるための取付板７３と、取付板７３に対して昇降スライド可能な支持基板７５と、支持基板７５に固定した固定板７６と、この固定板７６に支持させた摩擦ローラー７７と、摩擦ローラー７７の回転方向を規制するラチェット装置７９と、を備えている。取付板７３は本実施形態の取付板２３と、支持基板７５は同じく支持基板３５と、摩擦ローラー７７は同じく摩擦ローラー６５と、さらに、ラチェット装置７９は同じくラチェット装置４９と、それぞれ同じ構造に構成してある。したがって、これらの部材の作用効果にも差異はない。固定板７６は支持基板７５に対して移動不能となっているため、研磨布１１の取り付けは、摩擦ローラー７７と支持基板７５との間に研磨布１１の先端を差し込むことにより行う。取り外しは、その逆になる。固定板７６が開閉しないため本実施形態の保持装置２１より研磨布の取り付け取り外しの点で不便があるが、研磨布の位置変えについては本実施形態のそれと同様にハンドル等の操作に煩わされずに両手で行える点で従来の保持装置に比べ便利である。
【００４５】
これまで説明した保持装置２１，７１は、何れも研磨布１１を上から入れる形式であるが、これは揚送研磨機１の研磨布取付方式がドア部７の下端から入れて上端から引き出すようになっているからである。揚送研磨機の形式によっては、上端から入れて下端から引き出すものもあるが、その場合は保持装置２１，７１を上記取付方向とは逆方向に（つまり、逆さに）取り付けて研磨布を下から入れるように構成すればよい。
【００４６】
【発明の効果】
本発明に係る研磨布保持装置によれば、それを備えたパチンコ玉揚送研磨機に取り付けようとする研磨布を挟持する際のハンドル操作等を不要とする。したがって、取付作業者はハンドル操作等に煩わされずに両手を使って研磨布の位置変え作業等を行うことができるようになる。これが、研磨布の位置変え作業等を極めて簡単なものとする。
【図面の簡単な説明】
【図１】研磨布保持装置を備えるパチンコ玉揚送研磨機の正面図である（（ａ）はドア部閉鎖状態、（ｂ）はドア部開放状態）。
【図２】開閉板が開放位置にあるときの研磨布保持装置の斜視図である。
【図３】図２に示す研磨布保持装置の摩擦ローラーのみを想像線で描いた斜視図である。
【図４】開閉板がクランプ位置にあるときの研磨布保持装置の斜視図である。
【図５】図４に示す研磨布保持装置のＸ−Ｘ断面図である。
【図６】図４に示す研磨布保持装置のＹ−Ｙ断面図である。
【図７】図６に示す研磨布保持装置のロック構造の作用を説明するための図である。
【図８】本実施形態の変形例に係る研磨布保持装置の斜視図である。
【図９】従来の研磨布保持装置を示す側面図である。
【符号の説明】
１　　　　　　　　　揚送研磨機
３　　　　　　　　　ベース部
５　　　　　　　　　揚送塔
７　　　　　　　　　ドア部
９　　　　　　　　　押え具
１１　　　　　　　　　研磨布
１３　　　　　　　　　引っ掛けネジ
２１，７１　　　　　　研磨布保持装置
２３，７３　　　　　　取付板
２３ａ　　　　　　　　取付面
２３ｂ　　　　　　　　支持面
２４　　　　　　　　　段部
２５　　　　　　　　　取付部
２６　　　　　　　　　ネジ孔
２７　　　　　　　　　固定ネジ
３５，７５　　　　　　支持基板
３６　　　　　　　　　基板側部
３７　　　　　　　　　アウター片
３８　　　　　　　　　インナー片
４０　　　　　　　　　スライド構造
４２，４８　　　　　　開口部
４３　　　　　　　　　ロック孔
４５　　　　　　　　　開閉板（ローラー支持体）
４６　　　　　　　　　開閉側部（ローラー支持体）
４６ａ　　　　　　　　支持片
４７　　　　　　　　　ローラー支持部
４９，７９　　　　　　ラチェット装置
５０　　　　　　　　　ラチェット
５１　　　　　　　　　爪
５２　　　　　　　　　ハンドル
５３　　　　　　　　　引っ張りバネ
５５　　　　　　　　　ロック構造
５６　　　　　　　　　シーソー部材
５７　　　　　　　　　支持片
５８　　　　　　　　　支軸
５９　　　　　　　　　ロック片
６０　　　　　　　　　片持ちバネ
６３　　　　　　　　　ヒンジ
６５，７７　　　　　　摩擦ローラー
６６　　　　　　　　　ローラー面
６７　　　　　　　　　ローラー軸
７６　　　　　　　　　固定板
【図１】
2004141450.tif 000003
【図２】
2004141450.tif 000004
【図３】
2004141450.tif 000005
【図４】
2004141450.tif 000006
【図５】
2004141450.tif 000007
【図６】
2004141450.tif 000008
【図７】
2004141450.tif 000009
【図８】
2004141450.tif 000010
【図９】
2004141450.tif 000011